(57)【要約】【課題】将来ＶＨＦ帯の放送が終了した場合にはＶＨＦ増幅回路に対して無駄な電力を送り続けることを中止でき、その時、地上デジタル放送の受信に新たな障害が生じないような手段を施すことのできる。【解決手段】   入力端子と、出力端子とを備えるケース内には、ＶＨＦ増幅回路とＵＨＦ増幅回路とを並列状態で備え、 入力端子とＵＨＦ増幅回路との間には、切替スイッチを備えさせると共に、ＵＨＦ帯域通過回路と、特定帯域低減回路とを上記切替スイッチの切り替えにより選択利用可能に介在させ、ＶＨＦ増幅回路用の電力供給回路には電力供給回路開放用のスイッチを設け、  ケースにはスイッチ操作用の操作部材を配設し、この操作部材を操作することにより、電力供給回路開放用のスイッチを遮断状態にし、切替スイッチが特定帯域低減回路に切替接続される状態に切替スイッチと電力供給回路開放用のスイッチとを連動可能に連携させる。【選択図】    図２
2008283313.tif 000002
【特許請求の範囲】
【請求項１】
ＶＨＦ信号とＵＨＦ信号との両信号が入力される入力端子と、ＶＨＦ信号とＵＨＦ信号との両信号を出力させる出力端子とを備えるケース内には、
入力側が上記入力端子に接続され、出力側が上記出力端子に接続されていているＶＨＦ増幅回路と、入力側が上記入力端子に接続され、出力側が上記出力端子に接続されているＵＨＦ増幅回路とを備え、
更に、上記入力端子又は出力端子を通して供給される電力を、上記ＶＨＦ増幅回路と、ＵＨＦ増幅回路に対して夫々供給する為の電源回路とを備え、
上記電源回路から上記ＶＨＦ増幅回路及び上記電源回路からＵＨＦ増幅回路に対しては夫々上記電源回路に連なるＶＨＦ増幅回路用の電力供給回路と、ＵＨＦ増幅回路用の電力供給回路を介して夫々個別に電力を供給するように構成している中継器における電力供給回路において、
上記入力端子とＵＨＦ増幅回路との間には、切替スイッチを備えさせると共に、ＵＨＦ帯域通過回路と、特定帯域低減回路とを上記切替スイッチの切り替えにより選択利用可能に介在させ、
上記電源回路に連なるＶＨＦ増幅回路用の電力供給回路には電力供給回路開放用のスイッチを設け、
一方、上記ケースにはスイッチ操作用の操作部材を配設し、この操作部材は、上記切替スイッチがＵＨＦ帯域通過回路に接続される状態では上記電力供給回路開放用のスイッチが閉路状態となり、上記操作部材を操作することにより、上記電力供給回路開放用のスイッチが開路状態になると共に上記切替スイッチが特定帯域低減回路に切替接続される状態となるように上記切替スイッチと電力供給回路開放用のスイッチとを連動可能に連携させ、
上記操作部材の操作により電力供給回路開放用のスイッチを開放してＶＨＦ増幅回路に対する電力の供給を遮断するときには、上記入力端子とＵＨＦ増幅回路との間に、特定帯域低減回路が介在されるようにしたことを特徴とする中継器における電力供給回路。
【発明の詳細な説明】
【技術分野】
【０００１】
本発明は、主としてアンテナからテレビ受信装置までのケーブルが長くなるとき等、テレビ信号の減衰を補う必要がある場合に用いられる中継器における電力供給回路に関する。
【背景技術】
【０００２】
従来より、ＶＨＦ信号、ＵＨＦ信号、ＢＳ・ＣＳ信号等のＴＶ信号を夫々対応するアンテナで受信し、これらの信号をテレビ受信装置に向けてケーブルを介して送ることは広く知られている。
その場合、例えば高層ビル、集合住宅等ではケーブルが比較的長くなり、減衰が大きくなる。かかる場合、中継器（ブースター）が用いられる。
従来より広く知られている中継器としては、ＶＨＦ信号と ＵＨＦ信号との両信号が入力される入力端子と、ＶＨＦ信号とＵＨＦ信号との両信号を出力させる出力端子とを備えるケース内に、
入力側が上記入力端子に接続され、出力側が上記出力端子に接続されていているＶＨＦ増幅回路と、入力側が上記入力端子に接続され、出力側が上記出力端子に接続されているＵＨＦ増幅回路とを備えている。
さらに多くの場合、必要に応じて入力側が上記入力端子に接続され、出力側が上記出力端子に接続されていているＢＳ・ＣＳ増幅回路が備えられている。
更に、上記入力端子又は出力端子を通して供給される電力を、上記ＶＨＦ増幅回路と、ＵＨＦ増幅回路、さらに必要に応じてＢＳ・ＣＳ増幅回路に対して夫々供給する為の電源回路とを備え、
上記電源回路から上記ＶＨＦ増幅回路及びＵＨＦ増幅回路並びにＢＳ・ＣＳ増幅回路に対しては夫々上記電源回路に連なるＶＨＦ増幅回路用の電力供給回路と、ＵＨＦ増幅回路用の電力供給回路と、ＢＳ・ＣＳ増幅回路用の電力供給回路を介して夫々電力を供給するように構成されている。
【０００３】
上記入力端子と出力端子間に接続されるＶＨＦ増幅回路、ＵＨＦ増幅回路、ＢＳ・ＣＳ増幅回路及びこれらに対する電力供給回路の構成は、需要者の要求に対応して種々な回路構成が提供されている。
例えば特許文献１の図２において開示されているＴＶ受信用増幅装置４（ＶＨＦ・ＵＨＦ・ＢＳ・ＣＳブースタ）の内容として示されている回路構成のものが知られている。
【０００４】
【特許文献１】特開２００４−２０１２５４公報
【発明の開示】
【発明が解決しようとする課題】
【０００５】
上記構成の中継器では、将来ＶＨＦ帯のＴＶ放送が終了し、ＶＨＦ帯のＴＶ信号が完全停波した場合においても、上記ＶＨＦ増幅回路に対して電力を送り続けることになり、ＶＨＦ増幅回路において無駄な電力は消費され続けることになる問題点がある。
しかも上記のＶＨＦ帯のＴＶ信号が完全停波した場合において、仮に、ＶＨＦ増幅回路の電力供給を中止しようとしても、ＵＨＦ増幅回路には電力を送り続けなければならないので、ＶＨＦ増幅回路の電力供給のみを中止することのできない悩みがある。
【０００６】
更に将来、例えば２０１１年にＶＨＦ帯のＴＶ放送が終了し、ＶＨＦ帯のＴＶ信号が完全停波すると同時期に、現在のＵＨＦ帯における地上アナログ放送と地上デジタル放送が利用している周波数帯域（４７０〜７７０MHz：図４（Ａ）（Ｂ）参照）において、地上アナログ放送が完全停波し、現在利用されているＵＨＦ帯における４７０〜７７０MHzの内、図２（Ｂ）に示される７１０〜７７０MHzの周波数帯が、他のサービスに割当てられた場合、上記地上デジタル放送の受信に新たな障害が発生する問題点がある。
【０００７】
本件出願の目的は、将来ＶＨＦ帯のＴＶ放送が終了し、ＶＨＦ帯のＴＶ信号が完全停波した場合にはＶＨＦ増幅回路に対して無駄な電力を送り続けることを中止できる中継器を提供しようとするものである。
他の目的は、現在のＵＨＦ帯における地上アナログ放送が完全停波し、地上デジタル放送が残された場合においても、地上デジタル放送の受信に新たな障害が生じないような手段を施すことのできるようにしてある中継器を提供しようとするものである。
他の目的及び利点は図面及びそれに関連した以下の説明により容易に明らかになるであろう。
【課題を解決するための手段】
【０００８】
本発明の中継器における電力供給回路は、ＶＨＦ信号と ＵＨＦ信号との両信号が入力される入力端子２と、ＶＨＦ信号とＵＨＦ信号との両信号を出力させる出力端子３とを備えるケース１内には、入力側が上記入力端子２に接続され、出力側が上記出力端子３に接続されていているＶＨＦ増幅回路１３と、入力側が上記入力端子２に接続され、出力側が上記出力端子３に接続されているＵＨＦ増幅回路１４とを備え、更に、上記入力端子２又は出力端子３を通して供給される電力を、上記ＶＨＦ増幅回路１３と、ＵＨＦ増幅回路１４に対して夫々供給する為の電源回路１６とを備え、上記電源回路１６から上記ＶＨＦ増幅回路１３及び上記電源回路１６からＵＨＦ増幅回路１４に対しては夫々上記電源回路１６に連なるＶＨＦ増幅回路用の電力供給回路１７と、ＵＨＦ増幅回路用の電力供給回路１８を介して夫々個別に電力を供給するように構成している中継器における電力供給回路において、上記入力端子２とＵＨＦ増幅回路１４との間には、切替スイッチ３０を備えさせると共に、ＵＨＦ帯域通過回路２４と、特定帯域低減回路２７とを上記切替スイッチ３０の切り替えにより選択利用可能に介在させ、上記電源回路１６に連なるＶＨＦ増幅回路用の電力供給回路１７には電力供給回路開放用のスイッチ３１を設け、一方、上記ケースにはスイッチ操作用の操作部材９を配設し、この操作部材９は、上記切替スイッチ３０がＵＨＦ帯域通過回路２４に接続される状態では上記電力供給回路開放用のスイッチ３１が閉路状態となり、上記操作部材９を操作することにより、上記電力供給回路開放用のスイッチ３１が開路状態になると共に上記切替スイッチ３０が特定帯域低減回路２７に切替接続される状態となるように上記切替スイッチ３０と電力供給回路開放用のスイッチ３１とを連動可能に連携させ、上記操作部材９の操作により電力供給回路開放用のスイッチ３１を開放してＶＨＦ増幅回路１３に対する電力の供給を遮断するときには、上記入力端子２とＵＨＦ増幅回路１４との間に、特定帯域低減回路２７が介在されるようにしたものであればよい。
【発明の効果】
【０００９】
本発明は、ケースにスイッチ操作用の操作部材９を配設し、この操作部材９は、切替スイッチ３０がＵＨＦ帯域通過回路２４に接続される状態ではＶＨＦ増幅回路用の電力供給回路開放用のスイッチ３１が閉路状態となり、操作部材９を操作することにより、ＶＨＦ増幅回路用の電力供給回路開放用のスイッチ３１が開路状態になると共に上記切替スイッチ３０が特定帯域低減回路２７に切替接続される状態となるように上記切替スイッチ３０と電力供給回路開放用のスイッチ３１に連動可能に連携させたものであるから、将来ＶＨＦ帯のＴＶ放送が終了したときには、ケースに備えさせたスイッチ操作用の操作部材９を操作してＶＨＦ増幅回路において無駄に消費される電力を遮断して、以後長期に亘り電力を節約できる効果がある。
【００１０】
その上、上記ケースに備えさせた操作部材９を操作することにより、ＶＨＦ増幅回路用の無駄な電力を遮断すると同時に、現在のＵＨＦ帯における地上アナログ放送と地上デジタル放送が利用している周波数帯域のうち、地上アナログ放送が完全停波した場合に、現在利用されているＵＨＦ帯における７１０〜７７０MHzの周波数帯が、他のサービスに割当てられた場合でも、特定帯域低減回路２７によって、上記地上デジタル放送の受信に対する新たな障害を、予め除去しておくことのできる効果もある。
【発明を実施するための最良の形態】
【００１１】
以下本発明の実施の形態を図面を用いて説明する。図１は、表面にスイッチ操作用の操作部材９を備える中継器の外観を示す斜視図。図２はＶＨＦ帯のＴＶ信号とＵＨＦ帯のＴＶ信号との入出力端子２、３と、それらの間に介設するＶＨＦ増幅回路と、ＵＨＦ増幅回路と、それらの回路に対する電力の供給回路を説明する為の回路図。図３は、図２に示されているＶＨＦ増幅回路と、ＵＨＦ増幅回路と、それらの回路に対する電力の供給回路に加え、必要に応じてＢＳ・ＣＳ増幅回路を存在させる場合の実施例を説明する為の回路図。図４はＵＨＦ帯における地上アナログ放送と地上デジタル放送が利用している周波数帯域と、将来地上デジタル放送の受信に用いられる周波数帯域との比較図である。
【００１２】
なお上記図に表れる技術的事項及び関連する回路構成においては、連動スイッチの操作部材９、ＶＨＦ増幅回路用の電力供給回路１７における電力供給回路開放用のスイッチ３１、選択手段２３に係わる構成についての以下の説明に於て加えられる新規な技術的事項（部材構成、組合せ、機能等）の説明に係わる事項は別論として、他の関連技術的事項は特許文献１、その他多くの特許公報に開示される等して、当業者間においては広く知られているので、当業界における技術常識に係わる事項についてはこの明細書においては詳細な図面及びそれらについての説明を省略する。
【００１３】
図において、１は例えば高層ビル、集合住宅等に備えられる中継器Bのケースを示し、周知のようにアルミダイカスト等の硬質材で形成され、内部には任意の電子回路（入力端子２から入力される諸々の信号を増幅するための機器）を収めるための空間を備えている。２と３は、ケースの両側に備えさせた入力端子と出力端子を示し、周知のように例えば夫々Ｆ型端子で構成してある。この入力端子２には、ケーブル（例えば同軸ケーブル）が接続されており（図示省略）、周知のようにそのケーブルを通して図示外の対応するアンテナから夫々を送られてくるＶＨＦ信号と、 ＵＨＦ信号と、さらには必要に応じてＢＳ・ＣＳ信号（図３参照）の各信号が入力される。出力端子３には、ケーブル（例えば同軸ケーブル）が接続されており（図示省略）、周知のようにそのケーブルを通して次段（例えば高層ビル、集合住宅等に居住する受信者）へ向けて増幅されたＶＨＦ信号と、 ＵＨＦ信号と、さらには必要に応じてＢＳ・ＣＳ信号が出力される。
更に上記入力端子２又は出力端子３からは、周知のようにケーブルに重畳された電力（例えば直流１５Ｖ）が中継器B内の電源回路１６に向けて供給される。
【００１４】
なお周知のように、４と５はケース１を造営材に固定するための固定部材と、取付孔を示し、７は電力（例えば直流１５Ｖ）の有無を表示するためのパイロットランプ、８は周知のように必要に応じて電源回路の接離をするためのスイッチ３３をケース１の外部から操作する為の摘み、９は連動スイッチ部材（周知のように、例えば切替スイッチ３０の操作部と、電力供給回路開放用のスイッチ３１の操作部とを絶縁性の部材が介設してある連繋部材で連結し、両者が連動して開閉動作するようにしたスイッチ部材）の連動操作を司るための操作部材（摘み）、１０は操作部材に関しての注意がき（使用時期を表している）を表す表示部を示す。
【００１５】
次に図２、図３によく表れている中継器Ｂにおけるケース１の内部において、
入力端子２には、ＶＨＦ信号と、ＵＨＦ信号との両信号と、さらには必要に応じて図３に表れているようにＢＳ・ＣＳ信号が入力される。
出力端子３からは、夫々増幅されたＶＨＦ信号とＵＨＦ信号との両信号、さらには必要に応じて図３に表れているようにＢＳ・ＣＳ信号が出力される。
入力端子２と出力端子３との間には次の回路が備えられている。
入力側が上記入力端子２に接続され、出力側が上記出力端子３に接続されていているＶＨＦ増幅回路１３と、入力側が上記入力端子２に接続され、出力側が上記出力端子３に接続されているＵＨＦ増幅回路１４と、さらには必要に応じて図３に表れているように入力側が上記入力端子２に接続され、出力側が上記出力端子３に接続されているＢＳ・ＣＳ増幅回路１２とが夫々図示のように結線された状態で備えられている。
【００１６】
更に、上記入力端子２又は出力端子３を通して供給される電力を、上記ＶＨＦ増幅回路１３と、ＵＨＦ増幅回路１４と、さらには必要に応じて図３に表れているように備えさせるＢＳ・ＣＳ増幅回路１２に対して夫々電力を供給する為の電源回路１６とを備える。
更に、上記電源回路１６から上記ＶＨＦ増幅回路１３へ及び上記電源回路１６からＵＨＦ増幅回路１４へ、上記電源回路１６からＢＳ・ＣＳ増幅回路１２に対して夫々電力を供給する為に必要な回路、例えば、上記電源回路１６に夫々連なるＶＨＦ増幅回路用の電力供給回路１７と、ＵＨＦ増幅回路用の電力供給回路１８と、ＢＳ・ＣＳ増幅回路用の電力供給回路１９を備え、それらの電力供給回路を介して夫々個別に対応増幅回路に電力を供給するように構成してある。
【００１７】
次に図２、図３におけるケース１内においては、上記入力端子２と出力端子３との間に
ＶＨＦ増幅回路１３と、ＵＨＦ増幅回路１４と、ＢＳ・ＣＳ増幅回路１２が存在し、それらが夫々増幅機能を備え、中継器の役割を果たすことを可能にする点の実施例を示す簡易な回路例を例示した。
従って、実施に際しては上記入力端子２と出力端子３との間に接続されているＶＨＦ増幅回路１３の前後と、上記入力端子２と出力端子３との間に接続されているＵＨＦ増幅回路１４の前後と、上記入力端子２と出力端子３との間に接続されているＢＳ・ＣＳ増幅回路１２（図３参照）の前後においては、夫々周知のように種々な要求に対応して好みの回路要素（必要に応じて好みの機能を備える回路素子）を備えさせればよい。
なお図において、符号２０、２１、２２等は周知の構成を示し、２０は電源（電力）分離フィルタ（ＰＳＦ）、２１は、ＶＨＦ信号とＵＨＦ信号と、さらには必要に応じて図３に表れているようにＢＳ・ＣＳ信号とを分離するための分波機能を備える混合・分波器（ミキサー）、２２は、ＶＨＦ信号とＵＨＦ信号と、さらには必要に応じて図３に表れているようにＢＳ・ＣＳ信号とを混合するための混合機能を備える混合・分波器（ミキサー）を示す。
【００１８】
次に図２、図３におけるケース１内における電源回路１６と電力供給回路１７、１８、１９等を備える電力供給回路１５と、ＵＨＦ帯域通過回路２４と特定帯域低減回路２７とを備える選択手段２３等について説明する。
上記入力端子２とＵＨＦ増幅回路１４との間には、図示のように切替スイッチ３０（SW1）を備えさせる。
ＵＨＦ帯域通過回路２４と、特定帯域低減回路２７とは並列的に配設されていて、図示のように上記２つの切替スイッチ３０（SW1）を切り替えることにより両回路は選択利用可能にしてある。
即ち、図示の切り替え状態では入力端子２とＵＨＦ増幅回路１４との間にＵＨＦ帯域通過回路（スルーの回路）２４が介在される（スルーの状態になる）。スイッチ３０（SW1）を図面において下側（接点25と25aが導通する状態）にした場合は、入力端子２とＵＨＦ増幅回路１４との間に特定帯域低減回路２７が介在される。
【００１９】
上記特定帯域低減回路２７は、図４（B）に表れている地上デジタル放送帯（470〜710MHz）の右側に表示した７１０〜７７０MHzの帯域、即ち、図４（A）のアナログ放送終了後に他へ転用されるであろうところの帯域に入来することが予想される妨害波を低減させるためのバンドストップ用のフィルタの存在を示し、例えばバンドエリミネータフィルタ、トラップ回路など任意の回路が用いられる。上記特定帯域低減回路２７が介入されると当然のことながら、ＵＨＦ増幅回路１８に入力される上記妨害波は低減され、ＵＨＦ増幅回路１８は望ましい動作状態になる。
【００２０】
次に上記電源回路１６に連なるＶＨＦ増幅回路用の電力供給回路１７には図示のように常時端子31b、31a間が閉じた状態で電力供給回路開放用のスイッチ３１（SW1）が設けられている。
一方、上記ケース１の表面には連動スイッチ操作用の操作部材９を配設してある。この操作部材９は、上記切替スイッチ３０がＵＨＦ帯域通過回路２４に接続される状態では上記電力供給回路開放用のスイッチ３１が閉路状態となり、上記操作部材９を操作することにより、上記電力供給回路開放用のスイッチ３１が開路状態になると共に上記切替スイッチ３０が特定帯域低減回路２７に接続される状態となるように上記切替スイッチ３０と電力供給回路開放用のスイッチ３１に連動可能に連携させてある。
【００２１】
具体的にはスイッチ３１は、単独で行うことができるように構成してある汎用の入り切り可能なスイッチを利用しても良いが、上記選択手段２３におけるスイッチ３０と電力供給回路１７のスイッチ３１とを連動させる為には、周知の連動機構（図示省略）が必要である。例えば電力供給回路１７のスイッチ３１の操作部材と、上記選択手段２３におけるスイッチ３０の操作部材とを機械的なリンク機構で連携させ、しかもこのリンク機構は、ケース１の表面に設けてあるスイッチ操作用の操作部材９に連携させ、操作部材９の入り切り操作（図１の手前側と奥側への移動）によって電力供給回路１７のスイッチ３１と、上記選択手段２３におけるスイッチ３０は連動して回路切断と、特定帯域低減回路２７の接続が行われるように連動する。このように上記操作部材９の操作により電力供給回路開放用のスイッチ３１を開放してＶＨＦ増幅回路１３に対する電力の供給を遮断するときには、上記入力端子２とＵＨＦ増幅回路１４との間に、特定帯域低減回路２７が介在されるようにした。
【００２２】
図２、図３の状態では、図示外のＶＨＦアンテナ、ＵＨＦアンテナ、BS・CSアンテナから夫々中継器の入力端子２に対して対応するテレビ信号が入力される。入力端子２からのＶＨＦ信号はＶＨＦ増幅回路１３で増幅され出力端子３に、また入力端子２からのＵＨＦ信号はＵＨＦ増幅回路１４で増幅され出力端子３に、また入力端子２からのBS・CS信号はBS・CS増幅回路１２で増幅され出力端子３に夫々出力される。
【００２３】
このような受信状態において、例えば２０１１年にＶＨＦ帯のＴＶ放送が終了すると同時に、ＵＨＦ帯における地上アナログ放送が完全停波した場合には、中継器のケース１における摘み９を切り替え操作する。それにより、電力供給回路開放用のスイッチ３１は連動的に遮断され、ＶＨＦ増幅回路１３は休止状態となり、これに対する電力の供給は終了する。同時に上記切替スイッチ３０は連動的に切り替わり、入力端子２とＵＨＦ増幅回路１４との間に特定帯域低減回路２７が介在される。これにより入力端子から入来するＵＨＦ信号の内、前述のように妨害波となる恐れのある帯域は低減（除去）させる。
【図面の簡単な説明】
【００２４】
【図１】表面にスイッチ操作用の操作部材９を備える中継器の外観を示す斜視図。
【図２】ＶＨＦ帯のＴＶ信号とＵＨＦ帯のＴＶ信号との入出力端子２、３と、それらの間に介設するＶＨＦ増幅回路と、ＵＨＦ増幅回路と、それらの回路に対する電力の供給回路を説明する為の回路図。
【図３】図２に示されているＶＨＦ増幅回路と、ＵＨＦ増幅回路と、それらの回路に対する電力の供給回路に加え、必要に応じてＢＳ・ＣＳ増幅回路を存在させる場合の実施例を説明する為の回路図。
【図４】ＵＨＦ帯における地上アナログ放送と地上デジタル放送が利用している周波数帯域と、将来地上デジタル放送の受信に用いられる周波数帯域との比較図。
【符号の説明】
【００２５】
Ｂ・・・中継器、
１・・・ケース、
２・・・入力端子、
３・・・出力端子、
４・・・固定部材、
５・・・取付孔、
７・・・パイロットランプ、
８・・・電源回路スイッチ摘み、
９・・・連動スイッチの操作部材、
１０・・・表示、
１２・・・ＢＳ・ＣＳ増幅回路、
１３・・・ＶＨＦ増幅回路、
１４・・・ＵＨＦ増幅回、
１５・・・電力供給回路、
１６・・・電源回路、
１７・・・ＶＨＦ増幅回路用の電力供給回路、
１８・・・ＵＨＦ増幅回路用の電力供給回路、
１９・・・ＢＳ・ＣＳ増幅回路用の電力供給回路、
２１・・・分波器、
２２・・・混合器、
２３・・・選択手段、
２４・・・ＵＨＦ帯域通過回路、
２５・・・端子、
２７・・・特定帯域低減回路、
３０・・・切替スイッチ、
３１・・・電力供給回路開放用のスイッチ、
【図１】
2008283313.tif 000003
【図２】
2008283313.tif 000004
【図３】
2008283313.tif 000005
【図４】
2008283313.tif 000006